(57)【要約】【課題】  暖房運転停止後に運転を再開する場合に、運転開始時の運転能力を大きくすることなく、迅速に暖房を開始することができる空気調和装置を提供する。【解決手段】  圧縮機２０Ａ、２０Ｂ１、２０Ｂ２の吸込管３０とレシーバタンク２３とを制御弁５０を設けたバイパス管５１で接続し、暖房運転を停止する場合に、制御弁５０を開状態に制御して、高圧と低圧の圧力差を利用して、レシーバタンク２３内の冷媒を、バイパス管５１を介して圧縮機２０Ａ、２０Ｂ１、２０Ｂ２の吸込管３０内に引き込む室外制御装置１００を設け、この室外制御装置１００の動作に応じて、レシーバタンク２３から利用側熱交換器１０に至る配管内に残留する液冷媒をレシーバタンク２３内に回収するようにした。【選択図】      図１
2006118827.tif 000002
【特許請求の範囲】
【請求項１】
圧縮機、熱源側熱交換器、減圧装置、レシーバタンク及び利用側熱交換器を配管で接続した空気調和装置において、
前記圧縮機の吸込管と前記レシーバタンクとを制御弁を設けたバイパス管で接続し、暖房運転を停止する場合に、前記制御弁を開状態に制御して、高圧と低圧の圧力差を利用して、前記レシーバタンク内の冷媒を、前記バイパス管を介して、前記圧縮機の吸込管内に引き込む制御手段を設け、この制御手段の動作に応じて、前記レシーバタンクから前記利用側熱交換器に至る配管内に残留する液冷媒を、当該レシーバタンク内に回収することを特徴とする空気調和装置。
【請求項２】
前記圧縮機、前記熱源側熱交換器、前記減圧装置及び前記レシーバタンクを、室外ユニットに収納すると共に、前記利用側熱交換器を室内ユニットに収納し、この室内ユニットの位置よりも、前記室外ユニットの位置を高所に配置したことを特徴とする請求項１記載の空気調和装置。
【請求項３】
前記レシーバタンクから前記利用側熱交換器に至るまでの配管における前記レシーバタンクの近傍に、前記配管の一部を前記レシーバタンクの高さ相当まで立ち上げて形成したトラップを設けたことを特徴とする請求項１又は２記載の空気調和装置。
【請求項４】
前記レシーバタンクから前記利用側熱交換器に至るまでの配管における前記レシーバタンクの近傍に、開閉弁を設け、前記制御手段は、前記レシーバタンクから前記利用側熱交換器に至る配管内に残留する液冷媒を、当該レシーバタンク内に回収した後に、前記開閉弁を閉状態に制御することを特徴とする請求項１又は２記載の空気調和装置。
【発明の詳細な説明】
【技術分野】
【０００１】
本発明は、圧縮機、熱源側熱交換器、減圧装置、レシーバタンク及び利用側熱交換器を配管で接続した空気調和装置に関する。
【背景技術】
【０００２】
従来より、圧縮機、熱源側熱交換器、減圧装置及びレシーバタンクを収納する室外ユニットと、利用側熱交換器を収納する室内ユニットとを備える空気調和装置が知られている（例えば、特許文献１）。
この種の空気調和装置は、暖房運転時、圧縮機で圧縮されたガス冷媒を室内ユニットで放熱・凝縮させて液冷媒とし、その液冷媒を室外ユニットで吸熱・蒸発させてガス冷媒にして圧縮機に戻すため、暖房運転時は液冷媒が室内ユニット側に多い状態となる。
【特許文献１】特開２００１−３２４２２７号公報
【発明の開示】
【発明が解決しようとする課題】
【０００３】
しかし、従来の構成では、室外ユニットが室内ユニットの位置よりも高所に設置された場合、暖房運転停止後は、液冷媒が室内ユニット側にもともと多く存在するのに加え、室外ユニットに存在する液冷媒が重力により室内ユニット側に流出するため、次の運転の開始時は、室内ユニット側の液冷媒を回収するために、起動時の運転能力を大きくする必要があった。また、このように開始時の運転能力を高くしても、液冷媒の回収に時間がかかってしまい、暖房の立ち上がりが遅くなってしまう場合があった。
【０００４】
そこで、本発明の目的は、暖房運転停止後に運転を再開する場合に、運転開始時の運転能力を大きくすることなく、迅速に暖房を開始することができる空気調和装置を提供することにある。
【課題を解決するための手段】
【０００５】
上述課題を解決するため、本発明は、圧縮機、熱源側熱交換器、減圧装置、レシーバタンク及び利用側熱交換器を配管で接続した空気調和装置において、前記圧縮機の吸込管と前記レシーバタンクとを制御弁を設けたバイパス管で接続し、暖房運転を停止する場合に、前記制御弁を開状態に制御して、高圧と低圧の圧力差を利用して、前記レシーバタンク内の冷媒を、前記バイパス管を介して、前記圧縮機の吸込管内に引き込む制御手段を設け、この制御手段の動作に応じて、前記レシーバタンクから前記利用側熱交換器に至る配管内に残留する液冷媒を、当該レシーバタンク内に回収することを特徴とする。
【０００６】
また、本発明は、上記発明において、前記圧縮機、前記熱源側熱交換器、前記減圧装置及び前記レシーバタンクを、室外ユニットに収納すると共に、前記利用側熱交換器を室内ユニットに収納し、この室内ユニットの位置よりも、前記室外ユニットの位置を高所に配置したことを特徴とする。
【０００７】
また、本発明は、上記発明において、前記レシーバタンクから前記利用側熱交換器に至るまでの配管における前記レシーバタンクの近傍に、前記配管の一部を前記レシーバタンクの高さ相当まで立ち上げて形成したトラップを設けたことを特徴とする。
【０００８】
また、本発明は、上記発明において、前記レシーバタンクから前記利用側熱交換器に至るまでの配管における前記レシーバタンクの近傍に、開閉弁を設け、前記制御手段は、前記レシーバタンクから前記利用側熱交換器に至る配管内に残留する液冷媒を、当該レシーバタンク内に回収した後に、前記開閉弁を閉状態に制御することを特徴とする。
【発明の効果】
【０００９】
本発明は、圧縮機の吸込管とレシーバタンクとを制御弁を設けたバイパス管で接続し、暖房運転を停止する場合に、制御弁を開状態に制御して、高圧と低圧の圧力差を利用して、レシーバタンク内の冷媒を、バイパス管を介して圧縮機の吸込管内に引き込む制御手段を設け、この制御手段の動作に応じて、レシーバタンクから利用側熱交換器に至る配管内に残留する液冷媒をレシーバタンク内に回収するので、暖房運転停止後にレシーバタンクを液冷媒で満たしておくことができ、暖房運転停止後に運転を再開する場合に、運転開始時の運転能力を大きくすることなく、迅速に暖房を開始することができる。
【発明を実施するための最良の形態】
【００１０】
以下、図面を参照して本発明の実施形態を詳述する。
図１は、本発明に係る空気調和装置の一実施の形態を示す回路図である。この空気調和装置１は、複数台（例えば２台）の室外ユニット２Ａ、２Ｂと、この室外ユニット２Ａ、２Ｂの位置よりも低所に設置される複数台（例えば２台）の室内ユニット３Ａ、３Ｂとを備えている。この空気調和装置１は、室外ユニット２Ａ、２Ｂと室内ユニット３Ａ、３Ｂとを接続する冷媒配管５が、低圧ガス管６と、高圧ガス管７と、液管８とから構成され、室内ユニット３Ａ、３Ｂを同時に冷房運転若しくは暖房運転可能とし、または、これらの冷房運転（ドライ運転を含む）と暖房運転とを混在して実施可能としている。
【００１１】
室内ユニット３Ａは、室内熱交換器（利用側熱交換器）１０と膨張弁（減圧装置）１１とを備えて構成され、この室内熱交換器１０の一端は、膨張弁１１を介して液管８に配管接続される。また、室内熱交換器１０の他端には、分岐管１２が接続され、この分岐管１２は、高圧ガス分岐管１２Ａと低圧ガス分岐管１２Ｂとに分岐し、一方の高圧ガス分岐管１２Ａは第１開閉弁（例えば、電磁弁）１３を介して高圧ガス管７に接続され、他方の低圧ガス分岐管１２Ｂは第２開閉弁（例えば、電磁弁）１４を介して低圧ガス管６に接続される。また、室内ユニット３Ａには、室外熱交換器２１の出入口温度や室温を検出する温度センサ等が配置される他、これらセンサの検出結果を入力してこの室内ユニット３Ａの制御を行う室内制御装置（図示せず）を備えている。室内ユニット３Ｂについては、室内ユニット３Ａと略同一の構成であるため、同一の部分に同一の符号を付して示し、重複する説明は省略する
【００１２】
図２は、室外ユニット２Ａの構成を示す回路図である。室外ユニット２Ａは、能力可変型の圧縮機（ＤＣインバータ圧縮機）２０Ａと、能力一定型の圧縮機（ＡＣ圧縮機）２０Ｂ１、２０Ｂ２と、室外熱交換器（熱源側熱交換器）２１と、膨張弁２２と、レシーバタンク２３等から概略構成されている。以下、各圧縮機２０Ａ、２０Ｂ１、２０Ｂ２を特に区別する必要がない場合は、圧縮機２０と表記する。
この室外ユニット２Ａにおいて、各圧縮機２０Ａ、２０Ｂ１、２０Ｂ２は並列接続され、各圧縮機２０Ａ、２０Ｂ１、２０Ｂ２の吸込口に共通接続された吸込管３０が、アキュムレータ２４を介して低圧ガス管６に接続される。また、各圧縮機２０Ａ、２０Ｂ１、２０Ｂ２の吐出口に接続された吐出管３１は、オイルセパレータ２５を介して２つに分岐し、一方の冷媒吐出分岐管３１Ａが高圧ガス管７に接続され、他方の冷媒吐出分岐管３１Ｂが室外熱交換器２１に接続される。
【００１３】
ここで、上記冷媒吐出分岐管３１Ｂには、切換弁４０が設けられ、この切換弁４０を開けると圧縮機２０の吐出冷媒が室外熱交換器２１に供給される。さらに、この冷媒吐出分岐管３１Ｂには、上記切換弁４０と室外熱交換器２１との間に四方弁４１が設けられ、この四方弁４１は、室外熱交換器２１から見て、室外熱交換器２１の一端を、上記切換弁４０につながる管路（冷媒吐出分岐管３１Ｂ＋冷媒吐出分岐管３１Ａ）、又は圧縮機２０の吸込管３０につながる管路（暖房経路用配管３２）のいずれか一方に選択的に切り換える切換弁として機能する。
【００１４】
室外熱交換器２１の他端は、室外熱交換器２１に供給する冷媒流量を調整するための膨張弁２６、レシーバタンク２３、後段に詳述するトラップ２７及び補助冷却回路２８を介して液管８と配管接続される。レシーバタンク２３は、室外ユニット２Ａと室内ユニット３Ａ、３Ｂとの間の液状冷媒を蓄えて各ユニット間の冷媒の需給の調整を図るものである。
また、補助冷却回路２８は、レシーバタンク２３と液管８とを接続する冷媒配管３３を流れる液冷媒を補助冷却するものであり、より具体的には、レシーバタンク２３と液管８との間の液冷媒が通る配管３３の一部と、この配管３３から分岐して膨張弁２９を通過した冷媒が通る分岐管３４の一部とを２重管で構成した、いわゆる２重管式熱交換器が適用される。この分岐管３４は、補助冷却回路２８に接続された冷媒配管３５を介して圧縮機２０の吸込管３０とつながり、この分岐管３４、３５を通過した冷媒は圧縮機２０の吸込口に戻される。
【００１５】
また、オイルセパレータ２５には、図２に示すように、オイルセパレータ２５に溜められたオイル量（潤滑油量）が所定量以上の場合に、余剰のオイル（潤滑油）を圧縮機２０の吸込管３０に戻す冷媒戻し管４５と、当該オイルセパレータ２５と他の室外ユニット２Ｂのオイルセパレータ２５とを接続するためのオイルバランス管４６とが接続される。
このオイルバランス管４６は、開閉弁４６Ａを備え、図１に示すように、オイル管４７を介して他の室外ユニット２Ｂのオイルセパレータ２５と接続されると共に、このオイルバランス管４６から分岐する分岐管４５Ａを介して冷媒戻し管４５に接続される。この分岐管４５Ａには、開閉弁４５Ｂが設けられる。このため、開閉弁４６Ａが開き、開閉弁４５Ｂが閉じると、オイルセパレータ２５に貯留されたオイルが他の室外ユニット２Ｂに供給され、開閉弁４６Ａが閉じ、開閉弁４５Ｂが開くと、他の室外ユニット２Ｂから供給されたオイルが分岐管４５Ａを介して冷媒戻し管４５に供給され、これによって、室外ユニット２Ａ、２Ｂ間をオイルが行き来可能に構成されている。
【００１６】
また、室外ユニット２Ａは、室外熱交換器２１の出入口温度を検出する温度センサＳＯ１、ＳＯ２、圧縮機２０の吸込圧力を検出する圧力センサＳＡ１及び圧縮機２０の吐出圧力を検出する圧力センサＳＢ１〜ＳＢ３等の各種センサ、複数の逆止弁、各種センサの検出結果を入力して室外ユニット２Ａ全体を制御する室外制御装置１００等を備える。室外ユニット２Ｂについては、室外ユニット２Ａと略同一の構成であるため、同一の部分には同一の符号を付して示し、重複する説明は省略する。さらに、この空気調和装置１は、図示を省略したリモートコントローラを備え、室外ユニット２Ａ、２Ｂのいずれかの室外制御装置１００が、リモートコントローラを介して入力したユーザ指示等に応じて、他の室外制御装置１００や室内制御装置と通信し、この空気調和装置１全体の運転制御を行う。
【００１７】
具体的には、全ての室内ユニット３Ａ、３Ｂを同時に冷房運転する場合、各室外ユニット２Ａ、２Ｂでは、切換弁４０が開くと共に四方弁４１が切換制御され、また、各室内ユニット３Ａ、３Ｂでは第１開閉弁１３が閉じ、第２開閉弁１４が開く。この場合、図１に実線矢印で示すように、圧縮機２０の吐出冷媒が、オイルセパレータ２５を介して室外熱交換器２１に供給され、ここで放熱・凝縮して液冷媒となり、レシーバタンク２３及び補助冷却回路２８を経て液管８に供給される。
そして、室内ユニット３Ａ、３Ｂにおいては、液管８を介して液冷媒が膨張弁１１を介して室内熱交換器１０に供給され、ここで吸熱・蒸発し、低温低圧のガス冷媒となり、第２開閉弁１４を介して低圧ガス管６に供給される。この低圧ガス管６に供給されたガス冷媒は、室外ユニット２Ａ、２Ｂの吸込管３０を介して圧縮機２０で再び圧縮される。これによって、全ての室内ユニット３Ａ、３Ｂで同時に冷房運転が可能になる。
【００１８】
一方、全ての室内ユニット３Ａ、３Ｂを同時に暖房運転する場合、各室外ユニット２Ａ、２Ｂでは、切換弁４０が閉じると共に四方弁４１が切換制御され、各室内ユニット３Ａ、３Ｂでは第１開閉弁１３が開き、第２開閉弁１４が閉じる。この場合、図１に波線矢印で示すように、圧縮機２０が吐出した高温高圧のガス冷媒が、オイルセパレータ２５を介して高圧ガス管７に供給される。
そして、室内ユニット３Ａ、３Ｂにおいては、高圧ガス管７を介してガス冷媒が室内熱交換器１０に供給され、ここで、放熱・凝縮して液冷媒となった後、膨張弁１１を介して液管８に供給される。この液管８に供給された液冷媒は、室外ユニット２Ａ、２Ｂの冷媒配管３３及びレシーバタンク２３を介して室外熱交換器２１に供給され、ここで、吸熱・蒸発し、ここで低温低圧のガス冷媒となり、吸込管３０を介して圧縮機２０で再び圧縮される。これによって、全ての室内ユニット３Ａ、３Ｂで同時に暖房運転が可能になる。
【００１９】
また、暖房運転と冷房運転の混在運転を行う場合、例えば、室内ユニット３Ａを暖房運転し、室内ユニット３Ｂを冷房運転する場合、室外ユニット２Ａ、２Ｂが上記同時暖房運転の場合と同様に制御される一方、室内ユニット３Ａにおいては、第１開閉弁１３が閉じ、第２開閉弁１４が開き、室内ユニット３Ｂにおいては、第１開閉弁１３が開き、第２開閉弁１４が閉じる。この場合、各室外ユニット２Ａ、２Ｂから高温高圧のガス冷媒が高圧ガス管７に供給され、室内ユニット３Ａにおいては、高圧ガス管７を介してガス冷媒が室内熱交換器１０に供給され、ここで放熱・凝縮して液冷媒となった後、膨張弁１１を介して液管８に供給される。この液管８に供給された液冷媒の一部は室外ユニット２Ａ、２Ｂへ戻り、室外熱交換器２１で吸熱・蒸発し、低温低圧のガス冷媒となる。
【００２０】
一方、液管８に供給された液冷媒の残りは、室内ユニット３Ｂの室内熱交換器１０に供給され、ここで吸熱・蒸発し、低温低圧のガス冷媒となった後、第２開閉弁１４を介して低圧ガス管６に供給される。そして、この低圧ガス管６に供給された冷媒は、室外熱交換器２１を経た上記ガス冷媒と共に、吸込管３０を介して圧縮機２０で再び圧縮される。これによって、室内ユニット３Ａ、３Ｂ毎に暖房運転と冷房運転とが可能になる。
【００２１】
ところで、上記のように暖房運転時は、圧縮機２０で圧縮されたガス冷媒を室内ユニット３Ａ、３Ｂで放熱・凝縮させて液冷媒とし、その液冷媒を室外ユニット２Ａ、２Ｂで吸熱・蒸発させてガス冷媒にして圧縮機２０に戻すため、液冷媒が室内ユニット３Ａ、３Ｂ側に多い状態となる。この空気調和装置１は、上記したように、室外ユニット２Ａ、２Ｂが室内ユニット３Ａ、３Ｂの位置よりも高所に配置され、暖房運転後に運転を停止した場合に、室外ユニット２Ａ、２Ｂに存在する液冷媒が重力により室内ユニット３Ａ、３Ｂ側へ流出したとすると、室外ユニット２Ａ、２Ｂ周辺は殆どガス冷媒になり、次の運転の起動時に起動時運転能力（圧縮機２０の圧縮能力）を大きくしなければ、室外ユニット２Ａ、２Ｂ内に液冷媒を回収することが困難になってしまう。
【００２２】
そこで、本実施形態では、各室外ユニット２Ａ、２Ｂに、図２に示すように、吸込管３０とレシーバタンク２３とを制御弁５０を介して接続するバイパス管５１を設けると共に、レシーバタンク２３と液管８とをつなぐ冷媒配管３３の一部を立ち上げてトラップ２７を形成している。
【００２３】
図３に示すように、バイパス管５１の一端は、レシーバタンク２３の上部に連結され、圧縮機２０の運転中或いは運転停止直後に制御弁５０を開けた場合、吸込管３０内の圧力がレシーバタンク２３内の圧力より低いため、この圧力差により、レシーバタンク２３の上部に貯留されたガス冷媒から順にバイパス管５１を介して圧縮機２０の吸込管３０に引き込まれる。このバイパス管５１には、制御弁５０の他に、キャピラリーチューブ５２が設けられ、このキャピラリーチューブ５２は、レシーバタンク２３内の冷媒がバイパス管５１を介して一気に吸込管３０に流れて、圧縮機２０の吸込側に一気に大量の液冷媒が供給されてしまうのを防止するために設けられているが、省略してもよい。また、制御弁５０は、電磁弁或いは電動弁等の開閉可能な弁が適用され、室外制御装置１００の制御の下、空調運転時（暖房運転、冷房運転、冷暖混在の運転時）は閉制御される。
【００２４】
トラップ２７は、レシーバタンク２３と液管８とをつなぐ冷媒配管３３の一部を立ち上げて形成され、このトラップ２７の高さ（レシーバタンク２３の下面に対する高さ）Ｈ１は、レシーバタンク２３の高さＨ０と略同じ高さに形成される。なお、図３において、符号６０は、空気調和装置１が設置される建屋であり、符号６１は天井裏、符号６２は天井、符号６３は床であり、室外ユニット２Ａ、２Ｂが建屋６０の屋上に配置され、室内ユニット３Ａ、３Ｂが建屋の被調和室６４、６５の天井６２に配置されている。このように、レシーバタンク２３の高さ相当のトラップ２７を設けたため、室外ユニット２Ａ、２Ｂが室内ユニット３Ａ、３Ｂの位置よりも高所に配置された場合でも、レシーバタンク２３内に溜まった液冷媒が重力により液管８側、つまり、室内ユニット３Ａ、３Ｂ側に流出することが回避される。
【００２５】
本実施形態の空気調和装置１では、ユーザから運転停止指示を入力する等して暖房運転を停止する場合に、室外制御装置１００が、圧縮機２０等を停止させる通常の運転停止制御を行うと共に、レシーバタンク２３に室内ユニット３Ａ、３Ｂ側の液冷媒を回収させる液冷媒回収制御を行う。
【００２６】
図４は、液冷媒回収制御を示すフローチャートである。なお、膨張弁２６は運転停止制御時に閉制御されているものとする。
まず、室外制御装置１００は、制御弁５０を閉状態から開状態に制御する（ステップＳ１）。制御弁５０が開くと、吸込管３０内の圧力がレシーバタンク２３内の圧力より低いため、この圧力差によりレシーバタンク２３の上方に滞留するガス冷媒から順にバイパス管５１を介して吸込管３０に引き込まれ、この冷媒の引き込みに応じて、レシーバタンク２３から室内ユニット３Ａ、３Ｂに至る配管（冷媒配管３３及び液管８等）内に残留する液冷媒がレシーバタンク２３内に回収される。
【００２７】
次に、室外制御装置１００は、圧力センサＳＡ１、ＳＢ１〜ＳＢ３の検出結果に基づいて、圧縮機２０の吸込圧力と吐出圧力とがバランスしたか否か、つまり、吸込圧力と吐出圧力との差圧が所定範囲内に収まったか否かを判定し（ステップＳ２）、差圧が所定範囲内となると（ステップＳ２：ＹＥＳ）、制御弁５０を閉じる（ステップＳ３）。このように、制御弁５０を、圧縮機２０の吸込圧力と吐出圧力とがバランスするまで開けておくため、レシーバタンク２３から室内ユニット３Ａ、３Ｂに至る配管内に残留する液冷媒を、できるだけ多くレシーバタンク２３内に回収することができる。
【００２８】
以上説明したように、本実施形態では、圧縮機２０の吸込管３０とレシーバタンク２３とを制御弁５０を設けたバイパス管５１で接続し、暖房運転を停止する場合に制御弁５０を開制御するため、吸込管３０内の圧力とレシーバタンク２３内の圧力の差、つまり、冷媒が流れる冷媒回路中の高圧と低圧の圧力差を利用して、レシーバタンク２３から室内ユニット３Ａ、３Ｂに至る配管内に残留する液冷媒を、レシーバタンク２３内に回収することができる。従って、暖房運転停止後にレシーバタンク２３を液冷媒で満たすことができる。
また、本実施形態では、レシーバタンク２３から室内ユニット３Ａ、３Ｂに至る配管にはトラップ２７が設けられているため、運転停止中にレシーバタンク２３内に回収された液冷媒が室内ユニット３Ａ、３Ｂ側に流出することがなく、次の運転開始までレシーバタンク２３内に確実に保持される。
従って、暖房運転停止後に運転を開始する場合でも、室外ユニット２Ａ、２Ｂ側に液冷媒が十分に蓄えられているため、運転開始時の運転能力を大きくしなくても、暖房運転をすぐに開始でき、運転開始時の運転能力を大きくする従来のものに比して、素早い暖房立ち上がりが可能になると共に、電力消費量を低減することができる。
【００２９】
以上、本発明の一実施形態について説明したが、本発明はこれに限定されるものではない。例えば、上記実施形態では、トラップ２７の高さをレシーバタンク２３の高さと略同じにする場合について述べたが、レシーバタンク２３内に蓄えられる液冷媒の量が、次の暖房運転開始時に迅速に暖房を開始可能な量以上となる範囲でトラップ２７の高さを低くしてもよい。
【００３０】
また、上記実施形態では、運転停止中にレシーバタンク２３内に回収された液冷媒が室内ユニット３Ａ、３Ｂ側に流出しないようにトラップ２７を設ける場合について例示したが、このトラップ２７に代えて、図５に示すように、レシーバタンク２３から室内熱交換器１０に至るまでの配管に開閉弁（例えば電磁弁）２７Ａを設け、上記ステップＳ３の処理（制御弁５０の閉制御）の後、この開閉弁２７Ａを閉制御するようにしてもよい。この開閉弁２７Ａを運転停止中に閉状態に保持しておくことにより、運転停止中にレシーバタンク２３内に回収された液冷媒が室内ユニット３Ａ、３Ｂ側に流出するのを確実に回避することができる。
【００３１】
また、上記実施形態で示した配管構成はこれに限定されるものではなく、本発明の趣旨を逸脱しない範囲で適宜変更が可能である。例えば、上記実施形態では、複数の室外ユニットと複数の室内ユニットを備える空気調和装置に本発明を適用する場合を例示したが、任意台数の室外ユニットと室内ユニットを備える空気調和装置に広く適用が可能である。
【図面の簡単な説明】
【００３２】
【図１】本発明に係る空気調和装置の一実施の形態を示す回路図である。
【図２】室外ユニットの構成を示す回路図である。
【図３】トラップの説明に供する図である。
【図４】液冷媒回収制御を示すフローチャートである。
【図５】変形例の説明に供する室外ユニットの構成を示す回路図である。
【符号の説明】
【００３３】
１  空気調和装置
２Ａ、２Ｂ  室外ユニット
３Ａ、３Ｂ  室内ユニット
５  冷媒配管
６  低圧ガス管
７  高圧ガス管
８  液管
１０  室内熱交換器（利用側熱交換器）
１１、２６  膨張弁（減圧装置）
２０、２０Ａ、２０Ｂ１、２０Ｂ２  圧縮機
２１  室外熱交換器（熱源側熱交換器）
２３  レシーバタンク
２４  アキュムレータ
２５  オイルセパレータ
２７  トラップ
２７Ａ  開閉弁
２８  補助冷却回路
３０  吸込管
５１  バイパス管
５２  キャピラリーチューブ
１００  室外制御装置
【図１】
2006118827.tif 000003
【図２】
2006118827.tif 000004
【図３】
2006118827.tif 000005
【図４】
2006118827.tif 000006
【図５】
2006118827.tif 000007